(57)【要約】【課題】冬時期でヒータ付きマスクを吹出口に取り付け、夏時期でヒータ付きマスクの代わりにヒータレスマスクを吹出口に取り付けることができる空調ファンを提供すること。【解決手段】本体の内部に羽根が組み付けてあり、前記本体の周面に吸入口と吹出口とが開設してあり、更に、複数の通風穴を持つマスクと、前記マスクに組み付け可能なヒータと、を有する空調ファンにおいて、前記本体の側面の適当な箇所では組立台が設けてあり、前記組立台と前記吹出口とには、マスクと、ヒータ付きマスクと、がそれぞれ組み付けてある。【選択図】図１
0003130886.tif 000002
【実用新案登録請求の範囲】
【請求項１】
本体の内部に羽根が組み付けてあり、前記本体の周面に吸入口と吹出口とが開設してあり、更に、複数の通風穴を持つマスクと、前記マスクに組み付け可能なヒータと、を有する空調ファンにおいて、
前記本体の側面の一部に組立台が設けてあり、
前記組立台と前記吹出口とには、マスクと、ヒータ付きマスクと、がそれぞれ組み付けてあることを特徴とする、
空調ファン。
【請求項２】
前記マスクに嵌め片が設けてあり、前記嵌め片は前記本体に開設した嵌め溝に係止可能であることを特徴とする、請求項１に記載の空調ファン。
【請求項３】
前記本体の吸入口には、光触媒を塗布したフィルタが組み付けてあることを特徴とする、請求項１に記載の空調ファン。
【請求項４】
前記本体の吸入口には、活性炭素を塗布したフィルタが組み付けてあることを特徴とする、請求項１に記載の空調ファン。
【請求項５】
前記本体の吹出口の適正な箇所では、マイナスイオン発生器が組み付けてあることを特徴とする、請求項１に記載の空調ファン。
【請求項６】
前記本体の吹出口の一部にはトリガーが組み付けてあり、前記トリガーが制御パネルの電子回路と電気的に連接しており、ヒータには前記トリガーと電気的に連接する端子が設けてあることを特徴とする、請求項１に記載の空調ファン。
【請求項７】
前記マスクと前記ヒータ付きマスクとは、前記組立台と前記吹出口とに交換自在に組み付けられることを特徴とする、請求項１に記載の空調ファン。
【考案の詳細な説明】
【技術分野】
【０００１】
本考案は、空調ファンの構造に係り、特に、環境温度の高さにより、ヒータ付きマスクまたはヒータレスマスクを選択して吹出口に組み付け可能な空調ファンに関するものである。
【背景技術】
【０００２】
台湾は亜熱帯の島気候であり、夏時期では暑くて湿度が高く、冬時期では寒くて湿度も高い。そのため、夏時期と冬時期との気温に対処するために、扇風機、クーラー及びヒータが使用されている。
夏時期で扇風機とクーラーとを使用し、冬時期でヒータを使用すると、これらの機器を購入する必要があると共に、設置スペースの面でもかなりの面積を占める。
【０００３】
室内に占める設置スペースを低減するために、図９に示すような冷暖房機能付きの空調ファンが開発されている。
市販されている空調ファン２は、主に、本体２１の内部に羽根２２を組み付け、本体２１の吹出口２１１にヒータ２３を組み付け、ヒータ２３の外周をマスク２４でカバーすることによりヒータ２３による焼けなどを防止している。
これにより、冬時期ではヒータ２３をオンにして、羽根２２から吹き出すエアが吹出口２１１に組み付けられたヒータ２３を通過すると、ヒータ２３で発生した熱が吹き出されることで室内温度が向上する。
また、夏時期では、ヒータ２３をオフにした状態で羽根２２を回転させて吹出口２１１からエアを直接に吹き出している。
【０００４】
従来の空調ファン２にあっては、吹出口の一部がヒータに止められるので、羽根から吹き出されるエアの風量が減少して、エアの吹出効率が低下する。
冬時期では、エアの吹出効率がヒータ２３で発生した熱を吹き出す効果にあまり影響しないが、夏時期では、エアの吹出効率が低過ぎると使用者の冷房感覚が乏しくなる。
【考案の開示】
【考案が解決しようとする課題】
【０００５】
本考案の主な目的は、冬時期においてヒータ付きマスクを吹出口に取り付け、夏時期ではヒータ付きマスクの代わりにヒータレスマスクを吹出口に取り付けることができる空調ファンを提供することにある。
【課題を解決するための手段】
【０００６】
上記の目的を達成するためになされた本願の第１考案は、その本体の内部に羽根が組み付けてあり、前記本体の周面に吸入口と吹出口とが開設してあり、更に、複数の通風穴を持つマスクと、前記マスクに組み付け可能なヒータと、を有する空調ファンにおいて、前記本体の側面の適当な箇所では組立台が設けてあり、前記組立台と前記吹出口とには、マスクと、ヒータ付きマスクと、がそれぞれ組み付けてあることを特徴とする空調ファンであることを要旨としている。
【０００７】
本願の第２考案では、前記マスクに嵌め片が設けてあり、前記嵌め片は前記本体に開設された嵌め溝に係止可能であることを特徴とする、前記第１考案に記載の空調ファンであることを要旨としている。
【０００８】
本願の第３考案では、前記本体の吸入口には、光触媒を塗布したフィルタが組み付けてあることを特徴とする、前記第１考案に記載の空調ファンであることを要旨としている。
【０００９】
本願の第４考案では、前記本体の吸入口には、活性炭素を塗布したフィルタが組み付けてあることを特徴とする、前記第１考案に記載の空調ファンであることを要旨としている。
【００１０】
本願の第５考案では、前記本体の吹出口の適正な箇所では、マイナスイオン発生器が組み付けてあることを特徴とする、前記第１考案に記載の空調ファンであることを要旨としている。
【００１１】
本願の第６考案では、前記本体の吹出口の適正な箇所ではトリガーが組み付けてあり、前記トリガーが制御パネルの電子回路と電気的に連接しており、また、ヒータには前記トリガーと電気的に連接する端子が設けてあることを特徴とする、前記第１考案に記載の空調ファンであることを要旨としている。
【００１２】
本願の第７考案では、前記マスクと前記ヒータ付きマスクとは、前記組立台と前記吹出口とに交換自在に組み付けられることを特徴とする、前記第１考案に記載の空調ファンであることを要旨としている。
【考案の効果】
【００１３】
本考案に係る空調ファンによれば次のような効果が得られる。
（イ）環境温度の高さにより、ヒータ付きマスクまたはヒータレスマスクを選択して吹出口に組み付け可能である。すなわち、冬時期でヒータ付きマスクを吹出口に取り付けて暖かいエアを吹出し、また、夏時期では、ヒータ付きマスクの代わりにヒータレスマスクを吹出口に取り付けて、より大きい風量を吹出すことにより、ユーザは涼しい感覚を速く感じることができる。
【００１４】
（ロ）吸入口に光触媒または活性炭素を塗布したフィルタが組み付けてあるので、フィルタを通過しているときに、エアが清浄化になる。
【００１５】
（ハ）吸入口にマイナスイオン発生器が組み付けてあるので、エアがフィルタを通過しているときに、マイナスイオンが大気に放出されて正電荷を持っている微細粒子に吸着し、これにより、エアを清浄化する効果を達成することができる。
【考案を実施するための最良の形態】
【００１６】
以下、添付図面を参照して本考案の好適な実施の形態を詳細に説明する。
【００１７】
図１乃至図２に示すように、本考案の空調ファンは、その本体１１の内部に羽根１２が組み付けてある。
前記本体１１の周面には吸入口１３と吹出口１４と組立台１５とが設けてある。
そして吸入口１３に光触媒または活性炭素を塗布したフィルタが組み付けてある。
また、吹出口１４の適正な箇所ではマイナスイオン発生器１６１とトリガー１６２とが設けてある。
マイナスイオン発生器１６１とトリガー１６２とは制御パネル１６の電子回路と電気的に連接している。
また、本体１１と吹出口１４と組立台１５とにマスク１７，１８が組み付けてある。
前記マスク１７，１８には通風穴１７１，１８１が複数に開設してある。
前記マスク１７，１８には嵌め片１７２，１８２が設けてあり、図５と図６に示すように、前記嵌め片１７２，１８２が本体１１に開設された嵌め溝１１１と係止するようになっている。
また、マスク１８の内側にはヒータ１８３が組み付けてある。
図７と図８に示すように、ヒータ１８３には前記トリガー１６２と電気的に連接する端子１８４が設けてある。
【００１８】
次に、本考案の使用方法を詳細に説明する。
図３と図４に示すように、本考案は、環境温度の高さにより、ヒータ１８３を持つマスク１８またはヒータ１８３を持たないマスク１７を選択して吹出口１４または組立台１５に組み付け可能である。
すなわち、冬時期でヒータ１８３を持つマスク１８を吹出口１４に組み付ける。
このとき、ヒータ１８３の端子１８４がトリガー１６２と電気的に連接し、制御パネル１６により、ヒータ１８３をオンにして熱を発生すると共に、羽根１２をオンにして前記ヒータ１８３で発生した熱を外部に吹き出すと、暖房効果を達成することができる。
【００１９】
また、夏時期では、図５と図７に示すように、ヒータ１８３を持つマスク１８の代わりに、ヒータ１８３を持たないマスク１７を吹出口１４に組み付けると共に、ヒータ１８３を持つマスク１８を組立台１５に組み付ける。
そうすると、羽根１２が回転しているときに、羽根１２から吹出されたエアがマスク１７の通風穴１７１を通過して外部に吹出される。
また、ヒータ１８３が設けていないので、全てのエアが止められることなくスムーズに吹出すことができる。
そのため、エアの吹出効率が向上して、利用者は涼しい感覚を速く感じることができる。
【００２０】
また、適時、マイナスイオン発生器１６１をオンにしてもよい。
そうすると、マイナスイオンが大気中に放出されて正電荷を持っている微細粒子に吸着して、エアを清浄化する効果を達成することができる。
【図面の簡単な説明】
【００２１】
【図１】本考案の分解斜視図１である。
【図２】本考案の分解斜視図２である。
【図３】本考案の組合状態の斜視図である。
【図４】本考案の組合状態の側面図である。
【図５】本考案のマスクの正面図である。
【図６】本考案のマスクの背面図である。
【図７】本考案のヒータ付きマスクの正面図である。
【図８】本考案のヒータ付きマスクの背面図である。
【図９】従来のものの分解斜視図である。
【符号の説明】
【００２２】
１        空調ファン       
１１      本体
１１１    嵌め溝           
１２      羽根
１３      吸入口           
１４      吹出口
１５      組立台           
１６      制御パネル
１６１    マイナスイオン発生器      
１６２    トリガー
１７      マスク           
１７１    通風穴
１７２    嵌め片           
１８      マスク
１８１    通風穴           
１８２    嵌め片
１８３    ヒータ           
１８４    端子
２        空調ファン       
２１      本体
２１１    吹出口           
２２      羽根
２３      ヒータ           
２４      マスク
【図１】
0003130886.tif 000003
【図２】
0003130886.tif 000004
【図３】
0003130886.tif 000005
【図４】
0003130886.tif 000006
【図５】
0003130886.tif 000007
【図６】
0003130886.tif 000008
【図７】
0003130886.tif 000009
【図８】
0003130886.tif 000010
【図９】
0003130886.tif 000011